(57)【要約】      （修正有） 【課題】比較的簡便で且つ不審者に気づかれにくい構成でありながら、敷地内へ侵入した不審者が建物内へ侵入しようとするのを確実に検知することのできる防犯装置を提供する。【解決手段】防犯装置において、建物周辺の予め定められた敷地領域の地面にそれぞれ設置され、予め定められた荷重を超える外力が作用したときに開路される常閉接点からなる荷重センサとしてのマイクロスイッチ２を備えた複数の平板状防犯センサユニット１と、各荷重センサを直列接続する監視線と、該監視線内の荷重センサの開路を検出すると共に、該検出時に、前記建物に設置された電灯のうち予め定められた電灯を点灯させる制御装置とにより構成する。【選択図】図１
0003157926.tif 000002
【実用新案登録請求の範囲】
【請求項１】
建物周辺の予め定められた敷地領域の地面にそれぞれ設置され、予め定められた荷重を超える外力が作用したときに開路される常閉接点からなる荷重センサを備えた複数の平板状防犯センサユニットと、各平板状防犯センサユニットの荷重センサを直列接続する監視線と、該監視線内の荷重センサの開路を検出する制御装置とを備え、
前記制御装置は、前記開路を検出した際に、前記建物に設置された電灯のうち予め定められた電灯を点灯させるものであることを特徴とする防犯装置。
【請求項２】
前記平板状防犯センサユニットは、それぞれ、間に弾性部材を介して上下に配置された二枚の板部材と、これら上下の板部材の間に設置された前記荷重センサとしてのマイクロスイッチと、上下二枚の板部材の間を外周に沿って塞ぐ可撓性シートとを備え、
前記上側板部材は、予め定められた荷重を超える外力の発生により前記弾性部材に抗して下降し、
前記マイクロスイッチの荷重センサを開路に切り換えるアクチュエータが、前記上側板部材の下降に伴って作用する外力で作動されることを特徴とする請求項１に記載の防犯装置。
【請求項３】
前記マイクロスイッチは、前記アクチュエータが下方に突出する状態で前記上側板部材に装着されており、該上側板部材の下降に伴って前記アクチュエータが下側板部材に押圧されることによって前記荷重センサが開路となることを特徴とする請求項１又は２に記載の防犯装置。
【請求項４】
前記上側板部材は、該板部材の上面全体を覆う装飾カバー部材が交換可能に装着されていることを特徴とする請求項１〜３のいずれか１項に記載の防犯装置。
【請求項５】
前記平板状防犯センサユニットは、予め定められた複数の区域毎に複数個ずつ配置され、各区域毎に同一の監視線で各荷重センサが直列接続され、
前記制御装置は、荷重センサの開路が検出された際に、該検出信号が何れの区域からのものか選別し、その区域に対応する電灯を点灯させることを特徴とする請求項１〜４のいずれか１項に記載の防犯装置。
【考案の詳細な説明】
【技術分野】
【０００１】
本考案は、建物内に侵入しようとする不審者を、敷地内に侵入した時点で検知するための防犯装置に関するものである。
【背景技術】
【０００２】
従来から、不審者の侵入を検知するための防犯センサーとして、堀やフェンスの上端部の笠木部に荷重を感知する圧力センサー等を設置するものがあった。このような防犯センサーの構成は、笠木内に圧力センサーを設置し、バネ等の弾性材で支持された笠木の上部部材に荷重がかかって押し下げられると該部材裏面に設けられた凸状の押圧部材が圧力センサーを押圧して、笠木を乗り越えようとしている不審者の侵入が検知されるものである（例えば、特許文献１、特許文献２参照。）。
【先行技術文献】
【特許文献】
【０００３】
【特許文献１】特開２００７−７３０２２号公報
【特許文献２】特開２００６−７０５９３号公報
【考案の概要】
【考案が解決しようとする課題】
【０００４】
しかしながら、塀やフェンスを上端面に荷重をかけずに越えることは不可能ではなく、塀やフェンスの上端面の笠木部分のみが防犯センサーとなっていることに気づいていれば、不審者が敷地内に侵入してしまう恐れがある。しかも、敷地が塀に囲まれていると侵入後は不審者の存在は外部から気づかれ難く、建物内への侵入を容易にする恐れもある。
【０００５】
本考案の目的は、上記問題点に鑑み、比較的簡便で且つ不審者に気づかれにくい構成でありながら、敷地内へ侵入した不審者が建物内へ侵入しようとするのを確実に検知することのできる防犯装置を提供することにある。
【課題を解決するための手段】
【０００６】
上記目的を達成するため、請求項１に記載の考案に係る防犯装置は、建物周辺の予め定められた敷地領域の地面にそれぞれ設置され、予め定められた荷重を超える外力が作用したときに開路される常閉接点からなる荷重センサを備えた複数の平板状防犯センサユニットと、各平板状防犯センサユニットの荷重センサを直列接続する監視線と、該監視線内の荷重センサの開路を検出する制御装置とを備え、前記制御装置は、前記開路を検出した際に、前記建物に設置された電灯のうち予め定められた電灯を点灯させるものである。
【０００７】
請求項２に記載の考案に係る防犯装置は、請求項１に記載の防犯装置において、前記平板状防犯センサユニットは、それぞれ、間に弾性部材を介して上下に配置された二枚の板部材と、これら上下の板部材の間に設置された前記荷重センサとしてのマイクロスイッチと、上下二枚の板部材の間を外周に沿って塞ぐ可撓性シートとを備え、前記上側板部材は、予め定められた荷重を超える外力の発生により前記弾性部材に抗して下降し、前記マイクロスイッチの荷重センサを開路に切り換えるアクチュエータが、前記上側板部材の下降に伴って作用する外力で作動されるものである。
【０００８】
請求項３に記載の考案に係る防犯装置は、請求項１又は２に記載の防犯装置において、前記マイクロスイッチは、前記アクチュエータが下方に突出する状態で前記上側板部材に装着されており、該上側板部材の下降に伴って前記アクチュエータが下側板部材に押圧されることによって前記荷重センサが開路となることを特徴とするものである。
【０００９】
請求項４に記載の考案に係る防犯装置は、請求項１〜３のいずれか１項に記載の防犯装置において、前記上側板部材は、該板部材の上面全体を覆う装飾カバー部材が交換可能に装着されているものである。
【００１０】
請求項５に記載の考案に係る防犯装置は、請求項１〜４のいずれか１項に記載の防犯装置において、前記平板状防犯センサユニットは、予め定められた複数の区域毎に複数個ずつ配置され、各区域毎に同一の監視線で各荷重センサが直列接続され、前記制御装置は、荷重センサの開路が検出された際に、該検出信号が何れの区域からのものか選別し、その区域に対応する電灯を点灯させるものである。
【考案の効果】
【００１１】
本考案による防犯装置は、建物の玄関や裏口、窓等の防犯対象となる開口部の直下周辺周辺などの予め定められた敷地領域の地面にそれぞれ設置される平板状防犯センサユニットを備え、各平板状防犯センサユニットが予め定められた荷重を超える外力が作用したときに開路される常閉接点からなる荷重センサを有し、監視線により各荷重センサが直列接続され、制御装置によって該監視線内の荷重センサの開路が検出されたときに前記建物に設置された電灯のうち予め定められた電灯を点灯させるものである。従って、部材構成は簡便なものでありながら、不審者が建物内へ侵入しよう前記開口部付近に近づくいたり侵入を試みている最中に、気づくことなくほぼ確実に平板状防犯センサユニットを踏むことになり、その荷重により荷重センサが開路となり、制御手段がこの荷重センサの開路を検出して予め定められた電灯を点灯させるため、不審者を電灯で明るく照らしたり、建物内で人が電灯を付けたように感じさせて侵入を断念させることができるという効果がある。
【図面の簡単な説明】
【００１２】
【図１】本考案の一実施例による防犯装置を構成する平板状防犯センサユニットの斜視図であり、（ａ）は外観図、（ｂ）は内部透過図である。
【図２】図１の防犯センサユニットの平面透過図である。
【図３】図１の防犯センサユニットの側面図であり、装飾カバー部材の装着状態を示す模式図である。
【図４】本実施例による防犯装置の１回路構成を示す概略配線図である。
【図５】本防犯装置による複数箇所を対象として検知を行う場合の回路構成を示す概略配線図である。
【図６】図１に示した防犯センサユニットの変形例としてマイクロスイッチを逆さ状態で装着した場合を示す概略構成図であり、（ａ）は内部透視状態で示す斜視図、（ｂ）は側面図である。
【考案を実施するための形態】
【００１３】
本考案の防犯装置においては、予め定められた荷重を超える外力が作用したときに開路される常閉接点からなる荷重センサを備えた複数の平板状防犯センサユニットが、建物周辺の予め定められた敷地領域の地面にそれぞれ設置され、各平板状防犯センサユニットの荷重センサを直列接続する監視線と、該監視線内の荷重センサの開路を検出したときに前記建物に設置された電灯のうち予め定められた電灯を点灯させる制御装置を備えたものであるため、玄関や裏口、窓等の防犯対象の開口部の直下周辺の地面に、必要個数の防犯センサユニットを、これらを踏まなければ実質的に該開口部に近づけないように設置しておけば、不審者がこれらの開口部から建物内へ侵入しよう開口部付近に近づいた際に、あるいは侵入を試みている最中に、気づくことなく平板状防犯センサユニットを確実に踏むことになり、その荷重により荷重センサが開路となり、制御手段が荷重センサの開路を検出し、予め定められた電灯を点灯させる。
【００１４】
従って、夜間の留守宅でも、例えば、玄関を対象として本考案の防犯装置が設置される場合には開路検出時に玄関灯を点灯させたり、窓を対象に防犯装置が設置される場合にはその窓の室内灯を点灯させるなど、不審者が侵入しようとしている開口部付近を明るく照らしたり、あたかも建物内で人が電灯を付けたように思わせるなど、効果的な電灯を点灯させることによって、侵入を断念させることができる。
【００１５】
本防犯装置では、常閉接点からなる荷重センサの開路を検出することによって侵入を検知するものであるため、侵入者が荷重センサを取り外そうと監視線を切断した場合にも、開路となって侵入が検知される。
【００１６】
また、制御手段は、建物に通常設置されている電灯を点灯させるだけでなく、警告灯や警報を鳴らしても良い。さらには、制御装置によって予め登録しておいた電話番号へ自動通報されるものとすれば、警察や警備会社灯への通報だけでなく、その建物の住人や使用者が自身の携帯電話を登録しておけば、どこにいてもその建物への侵入発生を知ることができる。
【００１７】
本防犯装置に備えられる荷重センサとして、一般に市販されている開閉器、例えば、所謂マイクロスイッチを用いるのが簡便である。一般的なマイクロスイッチは、微小接点間隔とスナップアクション機構を持ち、規定された動きと力で開閉動作する接点機構がケースで覆われたものであり、ケースから突出したアクチュエータに外力が作用するとその動作がケース内のスナップアクション機構を介して接点部に伝達され、電気回路を開路または閉路するものである。本考案においては、接点部が常閉路となっており、アクチュエータを介した動作で開路となるマイクロスイッチを採用すればよい。
【００１８】
また、平板状防犯センサユニットの具体的形態としては、できるだけ搬送、設置等の取り扱いが簡便なものが望まれる。例えば、間に弾性部材を介して上下に配置された二枚の板部材の間にマイクロスイッチを配置してなる構成が最も簡便で好ましいものとして挙げられる。このような主に二枚の板部材から構成される平板状防犯センサユニットでは、対象領域に平坦な地面があれば容易に設定することができる。
【００１９】
地面に設置された平板状防犯センサユニットは、少なくともその周囲を、その領域周辺の地面の状況と一様にするような土、砂、砂利等で囲まれることになるが、上下の板部材の間を外周に沿って可撓性シートで塞ぐことによって、内部にこれら土や砂利、雨水等が浸入するのを防ぐことができる。
【００２０】
このような二枚板構成においは、予め定められた荷重を超える外力の発生により前記弾性部材に抗して下降する上側板部材によって、マイクロスイッチの荷重センサを開路に切り換えるアクチュエータが作動されるものとする。ここで、歩いている成人の片足にかかる程度の荷重、例えば数十ｋｇ程度で弾性部材が収縮するものとすれば、侵入者が上側板部材を片足で踏めば直ちにマイクロスイッチが開路となる。
【００２１】
マイクロスイッチは、通常使用どおり、アクチュエータが上方へ突出するように、下側板部材の上面に設置すれば、上側板部材に荷重がかかって下降した際に、該上側板部材がその下面でアクチュエータを押し下げて開路とする構成となるが、逆に、アクチュエータが下方へ突出する状態でマイクロスイッチを上側板部材の下面に装着する構成としても良い。この場合、上側板部材の下降に伴ってマイクロスイッチを下降し、終にはアクチュエータが下側板部材の上面に突き当たり、アクチュエータがマイクスイッチ本体側に押されて開路となる。このようにマイクロスイッチが逆さに上側板部材に装着された状態においては、もし上下板部材間に水が入り込んでも、マイクロスイッチのケース内までは浸入し難くなる。
【００２２】
なお、本考案においては、上下板部材の平面形状や寸法は特に限定するものではなく、四角形、多角形、円形、楕円形等、様々な形状が採用可能であり、設定箇所に応じて適宜設定すればよい。例えば、効率良く密に平板状防犯センサユニットを配置したい場合は、四角形が望ましい。また、周囲の様子に応じて平板状防犯センサユニットを自然に見せたい場合は、側板部材の上面全体を覆う装飾カバー部材を交換可能に装着する構成とすれば、平板状防犯センサユニット自体は共通の構成のまま、装飾カバー部材を適宜選択するだけで、実際の設置領域の環境に応じた外観とすることができる。
【００２３】
例えば、飛び石状に見せたい場合は、自然石様の装飾カバー部材を装着し、敷石状に見せたい場合は、素焼きタイル様、コンクリートタイル様、レンガタイル様等の各種装飾カバー部材を用意して適宜装着することができる。また、周囲地面と一様にして隠した設置状態としたい場合は、例えば人工芝を用いたカバー部材を用意しておくこともできる。もちろん、周辺の土、砂、砂利等でそのまま覆う形態にしても良い。
【００２４】
また、本考案の防犯装置における複数の平板状防犯センサユニットは、敷地内の特定領域に設置するものであるが、その侵入検知対象として、例えば建物で最も人目に付かない開口部下周辺等、一つの領域に絞られる場合のみとは限らない。即ち、複数の開口部下周辺にて侵入検知を同時に行いたい場合は少なくない。このような場合、本考案の防犯装置を各対象領域毎に複数設定してもよいが、設計等の簡便のため、同一制御装置で同時に複数の対象領域について侵入検知する構成とするのが望まれる。
【００２５】
即ち、平板状防犯センサユニットを、予め定められた複数の区域毎に複数個ずつ配置し、各区域毎に同一の監視線で各荷重センサを直列接続し、制御装置は、荷重センサの開路が検出された際に該検出信号が何れの区域からのものか選別し、その区域に対応する電灯を点灯させるものとすれば、複数の防犯装置を設置するという煩雑な構成を取ることなく、同一の制御装置で、同時に複数の領域での侵入検知を簡便に行うことができる。この場合、駐車スペースの車周りなどにも防犯装置を設置して同時に車両盗難や車上荒らし対策として検知を行うことも可能となる。
【実施例１】
【００２６】
本考案の一実施例としての防犯装置を構成する平板状防犯センサユニットを図１〜３に示す。図１は本防犯センサユニット１の斜視図であり、（ａ）は外観図、（ｂ）は内部透過図である。図２は本防犯センサユニット１の平面透過図である。図３は本防犯センサユニット１の側面図であり、装飾カバー部材の装着状態を示す模式図である。また、図４は本実施例による防犯装置の１回路構成を示す概略配線図である。
【００２７】
本実施例における防犯装置は、荷重センサとしてのマイクロスイッチ２を備えた複数の平板状防犯センサユニット１で構成されるものであり、各マイクロスイッチ２を直列接続する監視線４内でマイクロスイッチ２による開路を検出したときに制御装置５によって建物に設置された電灯の家から予め定められた電灯を点灯させる指令信号を建物の電気回路等に発するものである。
【００２８】
本実施例における平板状防犯センサユニット１は、主に、間に弾性部材８を介して上下に配置された略四角形の二枚の板部材（６，７）と、これら上下の板部材（６，７）の間で下側板部材７の中央付近に設置された一つのマイクロスイッチ２とから構成されるものである。
【００２９】
マイクロスイッチ２には、ケース内にスナップアクション機構と常閉路の接点部が設けられ、ケース外に突出するアクチュエータ３に外力が作用してこれを下方へ押し下げるとスナップアクション機構を介して接点部に動作が伝わって開路となるものを採用した。このようなマイクロスイッチ２は、安価な市販品から選択することができる。
【００３０】
また、本実施例ではコイルバネあるいは弾性ゴム部材からなる弾性部材８を板部材（６，７）の四隅と中央の５箇所に設置した。即ち、上側板部材８は、これら弾性部材８によって下側板部材７の上方に付勢支持されるものであり、この高さ位置において、上側板部材６は、その下面がマイクロスイッチ２のアクチュエータ３の上端部から僅かに上方にあって平常時にはアクチュエータ３に干渉することなく、マイクスイッチ２の接点部の回路は常閉状態となっている。
【００３１】
このような構成において、上側の板部材６に荷重が加えられ、これら弾性部材８の上方への付勢力に抗して上側板部材６がある程度以上下降した際には、該板部材６の下面がアクチュエータ３を押し下げて、マイクロスイッチ２の接点部の回路が開かれる。
【００３２】
ただし、上側板部材６が必要以上に下降してマイクロスイッチ２を押し潰すことが無いように、該下降量、即ち弾性部材８の収縮量を規制する手段を設けるのが望ましい。本実施例では、各弾性部材８周りを囲む円筒状部材２０を配置することによって、該円筒状部材２０の中止軸方向長さ分だけ上下板部材（６，７）間に所定距離が確保される構成とした。これによって、円筒状部材２０から突出する弾性部材８が上側板部材６の下降により収縮しても、上側板部材６の裏面が円筒状部材２０の上端に達すると、それ以上の下降が規制される。
【００３３】
一方、猫等が乗った程度の荷重ではアクチュエータ３を押し下げるほど上側板部材６が下降しないように、適度な荷重を下限値として設定し、それに応じた付勢力を備えた弾性部材８およびその個数を決定する。その設定荷重としては、平均的な成人が歩いている状態で片足で乗った際にかかる荷重として想定される最低値、例えば３０Ｋｇ程度に設定すればよい。この場合、前記設定荷重を超える外力が上側板部材６に作用すれば、マイクロスイッチ２が開路となる。
【００３４】
なお、本平板状防犯センサユニット１は、建物敷地内の地面１００に設置されるものであるが、実際の地面１００としては、様々な状態が考えられ、土や砂利の場合には、上下の板部材（６，７）の間にこれら土や砂利が入り込んでしまうことが考えられる。また、土や砂利のない例えば捨てコン面に設置される場合でも、雨水等が入り込んでしまうことが考えられる。
【００３５】
そこで、上下板部材（６，７）の間を外周に沿って塞いで土、砂利、水等の異物の侵入を防ぐための可撓性シート９を取りつけた。このシート９は、例えば薄いゴムシート等、上側板部材６の上下動に影響のないように軽量で防水性のある可撓性を部材であれば広く採用可能である。本実施例の上下板部材（６，７）は四角形であるため、四辺に沿ってそれぞれ可撓性シート９を取りつけた。また、上下板部材（６，７）も長期に亘って屋外で晒されるため、その素材も風雨に耐性の高いもの、例えばステンレス製等にする。
【００３６】
このような平板状防犯センサユニット１を、実際に敷地地面１００に設置する際には、地面１００内に埋め込んでほぼ上側の板部材６の上面を地面高さとなる程度に各防犯センサユニット１を地面に埋め込めば良い。監視線等の配線部が下側の板部材７下面より導出されている場合は、これら配線も地面に埋め込んで設置する。上側板部材６の上面は、防犯対象となる開口部周辺の地面状況に応じた外観とする。例えば、センサユニット１を完全に隠し体場合は、周囲と同じ土や砂利で上側板部材６の上面を覆えばよい。また、敢えて外部に露呈させるとともに侵入者が踏みやすい自然な外観にカモフラージュする方が望ましい場合もある。
【００３７】
この場合、図３に示すように、玄関や裏口周辺に設置するのであれば、飛び石や敷石に見えるような装飾カバー部材１０を上側板部材６に装着すれば良い。この装飾カバー部材１０を各種用意して上側板部材６に交換可能に装着する構成とすれば、上側板部材６は共通の構成であって、装飾カバー部材１０を適宜選択するだけで、設置対象領域が限定されず、様々な地面状況に対応させることができる。また、センサユニット１をコンクリートやモルタルに埋め込む場合、上下板部材（６，７）の外周側面にセメントと非結合の皮膜を塗布しておけば、上側板部材６が上下動可能状態で埋め込まれる。
【００３８】
以上の構成を備えた防犯装置の設置の際は、適した装飾カバー部材１０を装着した必要個数分の平板状防犯センサユニット１を、互いのマイクロスイッチ２を監視線４で直列に接続した状態で、防犯対象の開口部の直下周辺の地面に設置し建物の電灯のうち、対象開口部付近を照らす外側あるいは内側の適した電灯を予め選択して、監視線４の開路を検出する制御装置５において、開路検出時に該電灯を点灯させるように設定しておけば良い。
【００３９】
従って、例えば夜間の留守状態において、不審者が敷地内に侵入し、さらに前記開口部からの建物内への侵入を試みようとして、設置された平板状防犯センサユニット１のいずれか一つを踏むと、その荷重により上側板部材６が弾性部材８の付勢力に抗して下方へ押され、該板部材６の裏面がマイクロスイッチ２のアクチュエータ３を押し下げる。
【００４０】
これによってマイクロスイッチ２の接点部で回路が開き、制御装置５は監視線４を介して開路を検知して直ちに前記電灯を点灯させる。侵入者は電灯により直接照らされたり、あるいはまるで建物内で人が電灯を付けたように建物内が明るくなることによって侵入を断念する。さらに、制御装置５において、侵入検知時に建物の住人や、使用者、また通常使用していない建物であってもその所有者、あるいは社屋においては従業員等の予め登録しておいた携帯電話へ自動通報する設定としておけば、どこに居ても、不審者の侵入を直ちに知ることができる。なお、制御装置５は、これに限らず、同時に警報音の発生や警告灯の点灯を警報器に指令する設定を加えてもよい。
【００４１】
建物によっては、検知すべき開口部を一つに絞れるとは限らず、複数箇所で行う必要のある場合が生じる。この場合、複数の防犯装置をそれぞれ設置してもよいが、本考案においては、一つの防犯装置で複数箇所の検知を行うことができる。
【００４２】
即ち、図５に示すように、平板状防犯センサユニット１を、検知対象となる複数の区域（Ａ，Ｂ，Ｃ）毎に平板状防犯センサユニット（１１Ａ，１１Ｂ，１１Ｃ）複数個ずつ配置するものとして、各区域毎に同一の監視線（１４Ａ，１４Ｂ，１４Ｃ）で各平板状防犯センサユニットのマイクロスイッチ（１２Ａ，１２Ｂ，１２Ｃ）を直列に接続すればよい。制御装置１５は、各監視線（１４Ａ，１４Ｂ，１４Ｃ）での開路を検出するものであり、開路が検出された際に、それが何れの区域からのものか選別し、その区域に対応する電灯を点灯させるものとする。
【００４３】
例えば、検知対象が玄関と、裏口と、１階の特定の窓の３箇所である場合、各開口部の直下周辺をそれぞれ平板状防犯センサユニット（１１Ａ，１１Ｂ，１１Ｃ）の設置区域とした場合、制御装置１５において、玄関区域での開路検出時には玄関灯、裏口区域での開路検出時には裏口付近の電灯、窓区域での開路検出時にはその窓の内側の室内灯、をそれぞれ点灯させる設定とすることが考えられる。またこれに加えて、何れの区域でも開路検出がなされれば常に警報を発したり自動通報する設定としてもよい。
【００４４】
なお、以上の実施例では、マイクロスイッチ２を下側板部材７上に固定し、上側板部材６が下降してアクチュエータ３を押し下げる構成を示したが、マイクスイッチを上側板部材６に固定する構成としても良い。この場合、図６に示すように、アクチュエータ２３が下方に突出する状態でマイクロスイッチ２２が上側板部材６に固定されており、この上側板部材６の下降に伴ってアクチュエータ２３が下側板部材７に押圧されることによってマイクロスイッチ２２が開路となる。
【００４５】
このように、マイクロスイッチ２２を逆さ状態で設置することによって、マイクロスイッチ２２のケース内に水が浸入し難くなる。また、マイクロスイッチ周りを可撓性シートで囲むなどの防水手段を更に設けても良い。
【００４６】
また、以上の実施例では、上下板部材を四角形としたものを示したが、本考案ではこれに限定されるものではなく、円形、楕円形、多角形等、様々な形状が可能である。また、弾性部材に関しても、弾性ゴムを用いた構成にかぎらず、板バネ等を利用しても良い。
【符号の説明】
【００４７】
１，１１Ａ，１１Ｂ，１１Ｃ：平板状防犯センサユニット
２，１２Ａ，１２Ｂ，１２Ｃ，２２：マイクロスイッチ
３，２３：アクチュエータ
４，１４Ａ，１４Ｂ，１４Ｃ：監視線
５，１５：制御装置
６：上側板部材
７：下側板部材
８：弾性部材
９：可撓性シート
１０：装飾カバー部材
２０：円筒状部材
２１：配線部
１００：センサユニット設置地面
【図１】
0003157926.tif 000003
【図２】
0003157926.tif 000004
【図３】
0003157926.tif 000005
【図４】
0003157926.tif 000006
【図５】
0003157926.tif 000007
【図６】
0003157926.tif 000008